(57)【特許請求の範囲】
【請求項１】
上下方向に連続するブラケット係止用の係止孔が穿設された支柱が左右に離隔されて配置され、これら両支柱の上部の開口を利用して上部支持材を取付けるようにした上部支持材取付装置であって、
前記支柱の前壁と離隔する取付片を有する取付部材を両支柱の上部内方に固着するとともに、前記支柱と取付片とに、前方から取付ねじが挿通可能な挿通孔を各々設け、かつ、前面に前記取付ねじが螺入可能な雌ねじ部を有する上部支持材の支持杆を支柱の上部開口に挿入し、該支持杆の前面を取付片に当接させるようにして前記取付ねじで螺着したことを特徴とする支柱における上部支持材取付装置。
【請求項２】
前記取付部材が、前記取付片と該取付片の左右端部の一方もしくは両方から垂直に延設される当接片とからなり、前記支持杆の前面と側面とが、前記取付片と当接片とにそれぞれ当接するように取付けられる請求項１に記載の支柱における上部支持材取付装置。
【請求項３】
前記上部支持材の下部の前面に上下方向に複数の雌ねじ部が形成されている請求項１または２に記載の支柱における上部支持材取付装置。
【発明の詳細な説明】
【０００１】
【発明の属する技術分野】
本発明は、上下方向に連続するブラケット係止用の係止孔が穿設された支柱が左右に離隔されて配置され、これら両支柱の上部の開口を利用して上部支持材を取付けるようにした上部支持材取付装置に関する。
【０００２】
【従来の技術】
従来から、図７に示されるように、作業台等を構成する断面略方形の支柱０１上部に、照明器具等の機器を吊持するための上部支持材０２を取付けることがある。
【０００３】
支柱０１の前壁は、その上方に上下に一対のボルト挿通孔０１ｂが穿設されており、その下方に天板等を係止するための係止孔０１ａが上下に連続して複数穿設されている。
【０００４】
上部支持材０２の前面には、支柱０１における一対のボルト挿通孔０１ｂと同間隔に、雌ねじ部０２ａが上下に複数設けられている。
【０００５】
このように形成された上部支持材０２の下部を、その前面が支柱０１における前壁の裏面に当接するように上方から挿入し、上部支持材が所望の高さとなる位置で、ボルト０２ｂをボルト挿通孔０１ｂを介して雌ねじ部０２ａに螺入し、支柱０１に取付けていた。
【０００６】
【発明が解決しようとする課題】
しかしながら、上記のようにして上部支持材０２を取付ける場合、上部支持材０２の下部を支柱０１内部に深く挿入すると、係止孔０１ａを穿設する際、その内方に突出するように形成されたバリ等に当たって、スムーズに挿入することが困難なばかりか、取付け時には、上部支持杆０２の前面が完全に当接できず、垂直に立設できないという問題があった。
【０００７】
本発明は、このような問題点に着目してなされたもので、上部支持材を支柱内部にスムーズに挿入できるとともに、支柱に対し傾斜することなく立設することができる支柱における上部支持材取付装置を提供することを目的とする。
【０００８】
【課題を解決するための手段】
上記課題を解決するために、上下方向に連続するブラケット係止用の係止孔が穿設された支柱が左右に離隔されて配置され、これら両支柱の上部の開口を利用して上部支持材を取付けるようにした上部支持材取付装置であって、
前記支柱の前壁と離隔する取付片を有する取付部材を両支柱の上部内方に固着するとともに、前記支柱と取付片とに、前方から取付ねじが挿通可能な挿通孔を各々設け、かつ、前面に前記取付ねじが螺入可能な雌ねじ部を有する上部支持材の支持杆を支柱の上部開口に挿入し、該支持杆の前面を取付片に当接させるようにして前記取付ねじで螺着したことを特徴としている。
この特徴によれば、取付部材を支柱の上部内方に固着することで、支柱の前壁と離隔する取付片が形成されるので、支柱の前壁内面における係止孔の周縁にバリ等が形成されていても支持杆の前面を取付片に当接させながらスムーズに挿入できるとともに、支柱と取付片とに設けられた挿通孔を介して支持杆の雌ねじ部に取付ねじを螺入することで、上部支持材を支柱に対して傾斜することなく立設することができる。また、支柱の前壁と離隔する取付片が形成されるので、支持杆が支柱内部に取付けられていても、支柱上部の係止孔に、支持杆に邪魔されることなくブラケットを係合することができる。
【０００９】
本発明の支柱における上部支持材取付装置は、前記取付部材が、前記取付片と該取付片の左右端部の一方もしくは両方から垂直に延設される当接片とからなり、前記支持杆の前面と側面とが、前記取付片と当接片とにそれぞれ当接するように取付けられることが好ましい。
このようにすれば、支持杆の前面と側面とが、取付片と当接片とに案内されるので、支柱に対する前後左右方向の位置決めを容易に行うことができる。
【００１０】
本発明の支柱における上部支持材取付装置は、前記上部支持材の下部の前面に上下方向に複数の雌ねじ部が形成されていることが好ましい。
このようにすれば、取付ねじを螺入する上部支持材の雌ネジ部を適宜選択することで、上部支持材を所望の高さに調整できる。
【００１１】
【発明の実施の形態】
以下、本発明の実施例を図面に基づいて説明すると、図１には、本実施例における上部支持材取付装置が適用された作業台１が並設された状態が示されており、各作業台１は、左右に離間して配置された支柱２と、これら支柱２を立設させる脚部１２と、支柱２同士を上下で互いに連結する連結杆１３、１４とから主に構成されている。
【００１２】
各支柱２の前後には、ブラケット３を介して天板４が取付けられているとともに、その上方には、棚１６や掛止ネット１７が取付けられている。さらに、支柱２の上部開口（図示略）には、照明器具等が取付けられた天端枠１９を支持する略Ｌ字状の上部支持材１８の下端部が嵌挿され、支柱２に固着されている。
【００１３】
図２に示されるように、上部支持材１８は、垂直杆１８ａとこの垂直杆１８ａの上端から前方へ延設された水平杆１８ｂとから構成されており、垂直杆１８ａの前面には雌ねじ部１８ｃが上下に等間隔に複数設けられ、水平杆１８ｂの下面には雌ねじ部１８ｄが前後に等間隔に複数設けられている。
【００１４】
天端枠１９は、支柱の左右離間幅とほぼ同寸の横杆１９ｂと照明器具支持杆１９ｄと、水平杆１８ｂに嵌合可能な断面略コ字形の２つの保持具１９ａとから構成されている。
【００１５】
横杆１９ｂには、工具を掛止可能な略Ｓ字形状の掛止フック１９ｊが左右方向に摺動自在に取付けられ、照明器具支持杆１９ｄの下方には照明器具１９ｃが取付けられている。また、各保持具１９ａの下面には、水平杆１８ｂの雌ねじ部１８ｄと同間隔に離間した一対のボルト挿通孔１９ｉが穿設されている。
【００１６】
これら横杆１９ｂと照明器具支持杆１９ｄと、が前後に配置されるとともに、その左右両端部に固着される保持具１９ａとにより、環状の天端枠１９が構成されている。
【００１７】
支柱２は、図３〜図５に示されるように、スチール材等を折曲げ成形してなり、側壁となる基片２ｃと、この基片２ｃの両側から対向する支柱２方向に延びる第１前後片２ａと、これら第１前後片２ａの先端から基片２ｃとほぼ平行に内方へと延びる中間片２ｅとからなる幅広部と、これら中間片２ｅの先端から対向する支柱２方向に延びる第２前後片２ｂと、これら第２前後片２ｂの先端から内方に再度折り返された補強片２ｄとからなる幅狭部と、から構成された内部が中空の断面略凸状となるように形成されている。
【００１８】
第１前後片２ａ及び第２前後片２ｂには、ブラケット３、１５、掛止ネット１７に形成された係止爪（図示略）が係合可能な係止孔７、８が上下方向に複数穿設されている。
【００１９】
また、基片２ｃには、大寸の配線孔９（図１参照）が設けられており、この配線孔９を介してコード類Ｃを挿通して配線ダクト５内にコード類Ｃを収容できるようになっている。
【００２０】
支柱２の第１前後片２ａの上部近傍には上下に雌ねじ部１８ｃと同間隔に離間した一対のボルト挿通孔２ｎが穿設され、両中間片２ｅの上部近傍には上下に一対のボルト挿通孔２ｍが穿設されている。
【００２１】
図３、４中における２３は、スチール材を折り曲げ成形した取付部材であり、支柱２の幅狭部とほぼ同寸の前後幅を有する基片２３ａと、この基片の前後両端部から左右内方に延びる取付片２３ｂと、この取付片２３ｂの先端から前後外方に向かって屈曲する固定片２３ｃとから構成されている。
【００２２】
取付片２３ｂは、支柱２への取付け時において、基片２３ａが支柱２の基片２ｃに、固定片２３ｃが支柱２の中間片２ｅにそれぞれ当接するように形成されており、支柱２の上方から幅広部に嵌合できるようになっている。
【００２３】
各取付片２３ｂには、支柱２への取付け時に、支柱２のボルト挿通孔２ｎと連通するボルト挿通孔２３ｄが上下に形成されている。また、各固定片２３ｃには、支柱２への取付け時に、支柱２のボルト挿通孔２ｍと連通する雌ねじ部２３ｅが設けられている。
【００２４】
そして、図４、５に示されるように、支柱２の上方から、取付部材２３を嵌合し、固定片２３ｃの各雌ねじ部２３ｅに、支柱２のボルト挿通孔２ｍを介してボルト２３ｆを螺入することで、支柱２に取付部材２３が固定される。
【００２５】
そして、上部支持材１８の垂直杆１８ａの下部を、その前面が取付片２３ｂに、一方の側面が基片２３ａにそれぞれ当接するようにして、支柱２の上部に挿入し、ボルト１８ｅを、ボルト挿通孔２ｎと２３ｄとを介して、垂直杆１８ａの所望の雌ねじ部１８ｃに螺入することで、上部支持部材１８が支柱２に取付けられる。
【００２６】
図２に示されるように、両支柱２の上方に取付けられた各上部支持杆１８の水平杆１８ｂに、前方から天端枠１９の保持具１９ａを嵌合させ、ボルト挿通孔１９ｉを介して所望の雌ねじ部１８ｄにボルト１９ｅを螺入することで、天端枠１９が上部支持杆１８に取付けられる。
【００２７】
以上のように構成された作業台１における支柱２にあっては、支柱２の内方側に取付片２３ｂが離隔して形成されているので、支柱２の第１前後片２ａの内面における係止孔７の周縁にバリ等が形成されていても上部支持材１８における垂直杆１８ａの前面を取付片２３ｂに当接させながらスムーズに挿入できるとともに、支柱２と取付片２３ｂとに設けられたボルト挿通孔２ｎ、２３ｄを介して垂直杆１８ａの雌ねじ部１８ｃにボルト１８ｅを螺入することで、上部支持材１８を支柱２に対して傾斜することなく立設することができる。
【００２８】
また、図６に示されるように、上部支持材１８の垂直杆１８ａが、係止孔８が形成された位置まで支柱２に深く挿入され取付けられる場合にあっても、垂直杆１８ａに邪魔されることなく、ブラケット１５の係止爪１５ａを係止孔７に係合することができるので、作業台１の上部に棚１６を取付けることができる。
【００２９】
また、垂直杆１８ａの一方の側面が基片２３ａに案内されるので、垂直杆１８ａの左右の位置決めを容易に行うことができ、垂直杆１８ａを上下に調整するのみでボルト１８ｅを雌ねじ部１８ｃに螺入することができる。
【００３０】
さらに、垂直杆１８ａの前面には、上下に複数の雌ねじ部１８ｃが形成されているので、これらの雌ねじ部を適宜選択し、ボルト１８ｅを螺入することで上部支持材１８を所望の高さに調整できる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、上記実施例においては、支柱２の前後の第１前後片２ａに対して離隔するように設けられる取付片２３ｂが、取付部材２３における基片２３ａの両端に一体的に形成されているが、それぞれ別々に形成されているものであっても良い。
【００３３】
また、支柱２は断面略凸形に形成されているが、特に形状は限定されるものではなく、例えば断面が、略方形状のものや、略円形状の支柱であっても良い。
【００３４】
【発明の効果】
本発明は以下の効果を奏する。
【００３５】
（ａ）請求項１項の発明によれば、取付部材を支柱の上部内方に固着することで、支柱の前壁と離隔する取付片が形成されるので、支柱の前壁内面における係止孔の周縁にバリ等が形成されていても支持杆の前面を取付片に当接させながらスムーズに挿入できるとともに、支柱と取付片とに設けられた挿通孔を介して支持杆の雌ねじ部に取付ねじを螺入することで、上部支持材を支柱に対して傾斜することなく立設することができる。また、支柱の前壁と離隔する取付片が形成されるので、支持杆が支柱内部に取付けられていても、支柱上部の係止孔に、支持杆に邪魔されることなくブラケットを係合することができる。
【００３６】
（ｂ）請求項２項の発明によれば、上部支持材の左右側面が支柱の内側面または、当接片に案内されるので、支柱に対する前後左右の位置決めを容易に行える。
【００３７】
（ｃ）請求項３項の発明によれば、取付ねじを螺入する上部支持材の雌ネジ部を適宜選択することで、上部支持材を所望の高さに調整できる。
【図面の簡単な説明】
【図１】本発明の上部支持材取付装置が適用された作業台を示す斜視図である。
【図２】図１の作業台上部を下方から見た斜視図である。
【図３】図１の作業台の上部構造を示す分解図である。
【図４】図２の作業台を組み立てた状態を示す一部破断図である。
【図５】図４の上面図である。
【図６】図４のＩ−Ｉ断面図である。
【図７】本発明の従来技術を示す一部破断図である。
【符号の説明】
１              作業台
２              支柱
２ａ            第１前後片
２ｂ            第２前後片
２ｃ            基片
２ｄ            補強片
２ｅ            中間片
２ｍ、２ｎ      ボルト挿通孔
３              ブラケット
４              天板
７、８          係止孔
９              配線孔
１２            脚部
１３、１４      連結杆
１５            ブラケット
１５ａ          係止爪
１６            棚
１７            掛止ネット
１８            上部支持材
１８ａ          垂直杆
１８ｂ          水平杆
１８ｃ、１８ｄ  雌ねじ部
１８ｅ          ボルト（取付ねじ）
１９            天端枠
１９ａ          保持具
１９ｂ          横杆
１９ｃ          照明器具
１９ｄ          照明器具支持杆
１９ｅ          ボルト
１９ｉ          ボルト挿通孔
１９ｊ          掛止フック
２３            取付部材
２３ａ          基片（当接片）
２３ｂ          取付片
２３ｃ          固定片
２３ｄ          ボルト挿通孔
２３ｅ          雌ねじ部
２３ｆ          ボルト
Ｃ              コード類
【図１】
0004371477.tif 000002
【図２】
0004371477.tif 000003
【図３】
0004371477.tif 000004
【図４】
0004371477.tif 000005
【図５】
0004371477.tif 000006
【図６】
0004371477.tif 000007
【図７】
0004371477.tif 000008